(57)【特許請求の範囲】
【請求項１】
一方向に並んで走行する複数の糸条を切断して、吸引する糸切断吸引装置であって、
前記複数の糸条の配列方向に移動可能なカッタと、
前記カッタと同じく前記配列方向に移動可能であり、前記カッタによって切断された糸条を吸引する吸引装置と、
前記カッタよりも前記複数の糸条の走行方向下流側に設けられており、前記配列方向に並んだ前記複数の糸条の前記配列方向に関する移動を規制する糸規制ガイドと、を備え、
前記複数の糸条を配列させた状態で、前記カッタと前記吸引装置を前記配列方向に移動させ、前記糸規制ガイドの直上で前記複数の糸条を切断することを特徴とする糸切断吸引装置。
【請求項２】
前記吸引装置は、吸引口が形成され、前記配列方向に移動可能な可動体を有しており、
前記カッタは、前記可動体に設けられて、前記可動体と一体的に前記配列方向に移動可能であり、
前記可動体を前記配列方向に移動させる駆動手段をさらに備えていることを特徴とする請求項１に記載の糸切断吸引装置。
【請求項３】
前記カッタの先端は、前記配列方向に対して前記走行方向上流側に傾いた方向に傾斜していることを特徴とする請求項１または２に記載の糸切断吸引装置。
【請求項４】
前記吸引装置は、前記カッタよりも前記複数の糸条の走行方向上流側に配置されていることを特徴とする請求項１〜３のいずれか１項に記載の糸切断吸引装置。
【請求項５】
前記糸規制ガイドは、前記複数の糸条にそれぞれ対応して前記配列方向に並んだ複数の溝からなる櫛歯状に構成されていることを特徴とする請求項１〜４の何れかに記載の紡糸巻取機。
【請求項６】
紡糸部から溶融紡出された複数の糸条を、ゴデットローラを介して送出し、巻取部で巻き取る紡糸巻取機であって、
前記紡糸部と前記ゴデットローラの間に、請求項１〜５のいずれか１項に記載の糸切断吸引装置を設けたことを特徴とする紡糸巻取機。
【発明の詳細な説明】
【技術分野】
【０００１】
本発明は、糸切断吸引装置及び紡糸巻取機に関する。
【背景技術】
【０００２】
例えば、紡糸された複数の糸条を巻き取る紡糸巻取機のような、一方向に並んで連続的に供給され続ける複数の糸条を処理する機械では、処理を中断しても、紡糸された複数の糸条は送られ続けるため、送られ続ける複数の糸条を切断して吸引し、下流側の処理が中断している間保持しておくための糸切断吸引装置が設けられている。このように、複数の糸条を切断して吸引する装置として、特許文献１の糸切断吸引装置では、複数の糸条がその配列方向の両側から糸寄せプレートにより中央に寄せられて、糸預けガイドに一括して係止される。そして、配列方向の中央には、糸条カッタと糸条吸引装置が配置されており、糸預けガイドに係止された複数の糸条は、糸条カッタで切断可能な位置まで案内され、一括して糸条カッタで切断されて、糸条吸引装置で吸引されている。
【先行技術文献】
【特許文献】
【０００３】
【特許文献１】特公平７−２６２４７号公報（図２（ｂ））
【発明の概要】
【発明が解決しようとする課題】
【０００４】
しかしながら、特許文献１に記載の糸切断吸引装置では、複数の糸条をまとめて太い束として一括して切断するため、切断失敗するおそれがある。また、仮に、全ての糸条を一括して切断できたとしても、この一括して切断された複数の糸条を一括して吸引する際に、吸引失敗するおそれがある。
【０００５】
そこで、本発明の目的は、糸条の数によらず全ての糸条を確実に切断して吸引することができる糸切断吸引装置及び紡糸巻取機を提供することである。
【課題を解決するための手段】
【０００６】
一方向に並んで走行する複数の糸条を切断して、吸引する糸切断吸引装置であって、複数の糸条の配列方向に移動可能なカッタと、カッタと同じく前記配列方向に移動可能であり、カッタによって切断された糸条を吸引する吸引装置と、カッタよりも複数の糸条の走行方向下流側に設けられており、配列方向に並んだ複数の糸条の配列方向に関する移動を規制する糸規制ガイドと、を備え、複数の糸条を配列させた状態で、カッタと吸引装置を配列方向に移動させ、糸規制ガイドの直上で複数の糸条を切断する。
【０００７】
本発明の糸切断吸引装置によると、カッタを複数の糸条の配列方向に移動させることで、１本ずつ確実に切断することができる。これにより、糸条の数によらず、全ての糸条を確実に切断することができる。また、カッタの移動に吸引装置の移動を追従させることで、カッタにより切断された糸条をすぐに吸引することができる。このとき、１本でも吸引装置に糸条が吸引されていれば、その後に続けて切断された糸条は、すでに吸引されている糸条の走行によって生じる、吸引装置に向かって流れる随伴流で吸引されやすくなる。
【０００８】
また、前記吸引装置は、吸引口が形成され、前記配列方向に移動可能な可動体を有しており、前記カッタは、前記可動体に設けられて、前記可動体と一体的に前記配列方向に移動可能であり、前記可動体を前記配列方向に移動させる駆動手段をさらに備えていることが好ましい。
【０００９】
これによると、駆動手段により可動体を移動させることで、カッタと可動体に形成された吸引口を近接させたまま一体的に移動させることができる。
【００１０】
さらに、前記カッタの先端は、前記配列方向に対して前記走行方向上流側に傾いた方向に傾斜していることが好ましい。
【００１１】
これによると、刃部が糸条の走行方向を向いているため、走行している糸条をより確実に切断することができる。
【００１２】
加えて、前記吸引装置は、前記カッタよりも前記複数の糸条の走行方向上流側に配置されていることが好ましい。
【００１３】
これによると、カッタにより切断され、カッタよりも走行方向上流側にある糸条をより確実に吸引することができる。
また、糸規制ガイドは、複数の糸条にそれぞれ対応して配列方向に並んだ複数の溝からなる櫛歯状に構成されている。
これによると、カッタよりも走行方向下流側で、走行する糸条の配列方向への移動が糸規制ガイドにより規制されており、糸条のカッタにより切断される部分がカッタの移動する方向へ移動しにくく、より一層確実に糸条を切断することができる。
【００１４】
本発明の紡糸巻取機は、紡糸部から溶融紡出された複数の糸条を、ゴデットローラを介して送出し、巻取部で巻き取る紡糸巻取機であって、前記紡糸部と前記ゴデットローラの間に、上述した糸切断吸引装置を設けている。
【００１５】
本発明の紡糸巻取機によると、紡糸部から紡出された複数の糸条をゴデットローラよりも糸条の走行方向上流側で切断して吸引しており、その後のゴデットローラや巻取機への糸掛けをしやすい。
【発明の効果】
【００１８】
カッタを複数の糸条の配列方向に移動させることで、複数の糸条に屈曲角を生じさせることなく１本ずつ確実に切断することができる。これにより、糸条の数によらず、全ての糸条を確実に切断することができる。また、カッタの移動に吸引装置の移動を追従させることで、カッタにより切断された糸条を吸引することができる。このとき、複数の糸条には屈曲角は生じていないため吸引しやすい。また、１本でも吸引装置に糸条が吸引されていれば、その後に切断されて吸引される糸条は、すでに吸引されている糸条の走行によって生じる随伴流で吸引しやすくなる。
【図面の簡単な説明】
【００１９】
【図１】紡糸巻取機の概略構成を示す側面図である。
【図２】糸規制ガイド及び糸切断吸引装置の斜視図である。
【図３】糸規制ガイド及び糸切断吸引装置の先端部近傍の縦断面図である。
【図４】図２の糸切断吸引装置の先端部の拡大斜視図である。
【図５】糸切断吸引装置により複数の糸条を切断して吸引する動作について説明する図である。
【図６】変形例１における図２相当の図である。
【図７】変形例２について説明する図であり、（ａ）は平面図であり、（ｂ）は上面図である。
【発明を実施するための形態】
【００２０】
次に、本発明の実施形態について説明する。図１は、紡糸巻取機の概略構成を示す側面図である。図１に示すように、紡糸巻取機１０は、上方にある紡糸機１の紡糸口金１ａから吐出された複数のフィラメントからなる糸条Ｙに給油ノズル２により油剤を付着させた後、この糸条Ｙを２つのゴデットローラ４ａ、４ｂで延伸させた上で、下方にある糸巻取装置５に搬送して、巻き取っている。
【００２１】
紡糸機１の紡糸口金１ａからは、複数のフィラメントからなる糸条Ｙが複数吐出されており、これら複数の糸条Ｙは、図１の紙面に直交する方向（以下、配列方向と称す）に複数並んで走行している。給油ノズル２は、紡糸機１から給糸された複数のフィラメントからなる糸条Ｙに油剤を噴射して付着させる。
【００２２】
ゴデットローラ４ａは、その上方に配置されたセパレートローラ６ａと一対となっており、ゴデットローラ４ｂは、その下方に配置されたセパレートローラ６ｂと一対となっている。２つのゴデットローラ４ａ、４ｂは、図示しない駆動モータによって駆動される駆動ローラであり、２つのセパレートローラ６ａ、６ｂは、糸条Ｙの走行にともなって回転する従動ローラである。
【００２３】
糸条Ｙが走行する糸道上の、給油ノズル２とゴデットローラ４ａの間には、配列方向に並ぶ複数の糸条Ｙの配列方向に関する移動を規制する糸規制ガイド３０が設けられている。図２は、糸規制ガイド及び糸切断吸引装置の斜視図である。図３は、糸規制ガイド及び糸切断吸引装置の先端部近傍の縦断面図である。図４は、図２の糸切断吸引装置の先端部の拡大斜視図である。図２〜図４に示すように、糸規制ガイド３０は、複数の糸条Ｙにそれぞれ対応して配列方向に並んだ複数の溝３０ａからなる櫛歯状をしており、この溝３０ａの間隔でゴデットローラ４ａ、４ｂに巻き掛けられる複数の糸条Ｙの間隔が決められている。
【００２４】
糸規制ガイド３０の配列方向の一方側（図２の右方）には、糸切断吸引装置４０が設けられている。糸切断吸引装置４０は、糸条Ｙを吸引する吸引装置４１と、吸引装置４１を駆動する吸引源４２と、糸条を切断するカッタ４３と、吸引装置４１の後述する吸引パイプ４５を配列方向に沿って移動させるシリンダ４６などを有している。
【００２５】
吸引装置４１は、吸引源４２に接続され、その軸方向が複数の糸条Ｙの配列方向と平行に配置された筒部材４４と、筒部材４４の内部と連通して、筒部材４４の長手方向に沿って進退自在な吸引パイプ４５とを有している。筒部材４４は、図示しない機台に保持されたホルダ４９に設けられており、ホルダ４９内を吸引パイプ４５が配列方向に沿って移動する構成となっている。この吸引パイプ４５の配列方向に関する筒部材４４から離れた先端には吸引口４５ａが形成されている。
【００２６】
また、シリンダ４６は、複数の糸条Ｙの配列方向に沿って延在して、ホルダ４９に設けられており、シリンダロッド４６ａの先端が吸引パイプ４５の下面に接続された連結部材４７に接続されている。そして、シリンダ４６を駆動して、シリンダロッド４６ａを進退させると、それにともない、吸引パイプ４５が配列方向に沿って移動する構成となっている。
【００２７】
カッタ４３は、糸条Ｙを切断する刃部５０と、刃部５０を保持し、吸引パイプ４５の下面に接続された刃部保持部材５１と、糸条Ｙを誘い込む誘い込み部材５２とを有している。刃部５０は、板状をしており、複数の糸条Ｙの走行方向（図３の上下方向）及び配列方向と平行な鉛直面に対して直交する方向に延在しており、その先端が走行方向の上流側に傾斜している。誘い込み部材５２は、刃部５０よりも吸引パイプ４５の進出方向下流側（図２の左方）に配置されており、糸条Ｙを誘い込む切り欠き５２ａ（図４参照）が形成されており、この切り欠き５２ａに糸条Ｙを誘い込むことで刃部５０で糸条Ｙを切断しやすくなっている。
【００２８】
紡糸機１から給油ノズル２を介して送られた糸条Ｙは、上流側のゴデットローラ４ａ及びセパレートローラ６ａに複数回巻き掛けられた後、下流側のゴデットローラ４ｂ及びセパレートローラ６ｂに複数回巻き掛けられてから糸巻取装置５に巻き取られる。
【００２９】
このとき、下流側のゴデットローラ４ｂは、上流側のゴデットローラ４ａよりも高速で回転している。また、ゴデットローラ４ａは糸条Ｙが延伸可能な温度（例えば、９０度）に加熱されているとともに、ゴデットローラ４ｂはゴデットローラ４ａよりも高い温度（例えば、１２０度）に加熱されている。これにより、紡糸機１から送られた糸条Ｙは、まず、ゴデットローラ４ａで延伸可能な温度まで加熱された後、ゴデットローラ４ｂにより延伸されつつ糸巻取装置５に搬送される。
【００３０】
ここで、糸巻取装置５による糸条Ｙの巻き取りを中断しても、紡糸機１から糸条Ｙは送られ続けるため、紡糸機１から送られる糸条Ｙを糸巻取装置５までの間で切断して吸引しておく必要がある。そこで、本実施形態では、糸条Ｙが走行する糸道上の、給油ノズル２とゴデットローラ４ａの間に配置された糸規制ガイド３０の直上で糸条Ｙを切断して吸引するために糸切断吸引装置４０が設けられている。
【００３１】
この糸切断吸引装置４０による糸条Ｙの切断及び吸引動作について図５を参照して説明する。図５は、糸切断吸引装置により複数の糸条を切断して吸引する動作について説明する図である。まず、糸巻取装置５による糸巻き取り時には、吸引源４２との接続が遮断され、吸引装置４１が駆動しておらず、糸切断吸引装置４０のシリンダロッド４６ａ（図２参照）は最も後退した位置であり、吸引パイプ４５の吸引口４５ａとカッタ４３の刃部５０は、複数の糸条Ｙよりも配列方向の一方側（図３の位置）に退避している。
【００３２】
前記退避状態から、吸引源４２と吸引装置４１を接続するとともに、シリンダ４６を駆動させて、吸引パイプ４５の吸引口４５ａからの吸引を開始するとともに、シリンダロッド４６ａを進出させる。そして、図５（ａ）に示すように、まず、吸引パイプ４５の吸引口４５ａとカッタ４３の刃部５０を、配列方向に沿って複数の糸条Ｙに近づくように移動させる。すると、まず、配列方向に関して最も刃部５０に近い位置にある糸条Ｙが刃部５０により切断され、吸引口４５ａから吸引される。
【００３３】
そのまま、吸引パイプ４５の吸引口４５ａとカッタ４３の刃部５０を、複数の糸条Ｙを横切って配列方向に沿って移動させると、図５（ｂ）に示すように、複数の糸条Ｙは１本ずつ順に刃部５０によって切断されて、吸引口４５ａから吸引される。このとき、１本でも吸引口４５ａから糸条Ｙが吸引されていれば、糸条Ｙの走行方向上流側から吸引口４５ａの内部に向かうＡ方向の随伴流が生じる。すると、その後に刃部５０により切断された糸条Ｙは、すでに吸引口４５ａに吸引されている糸条Ｙの走行によって生じる随伴流で吸引されやすくなる。
【００３４】
そして、図５（ｃ）に示すように、吸引パイプ４５の吸引口４５ａとカッタ４３の刃部５０を、複数の糸条Ｙよりも配列方向の他方側まで所定のストロークを移動させると、複数の糸条Ｙは全て吸引口４５ａに吸引された状態となる。その後、シリンダ４６の駆動を停止させて、吸引パイプ４５の移動を停止させた状態で、オペレータがエアサッカー５５を近づける。そして、図５（ｄ）に示すように、エアサッカー５５に複数の糸条Ｙを切断して吸引させた後、シリンダ４６を駆動して、シリンダロッド４６ａを後退させて、吸引パイプ４５の吸引口４５ａとカッタ４３の刃部５０を退避させる。このとき、複数の糸条Ｙを吸引した吸引パイプ４５がエアサッカー５５を持っているオペレータの作業する側に突出しているため、糸規制ガイド３０がじゃまにならず、吸引パイプ４５で吸引された複数の糸条Ｙをエアサッカー５５に受け渡ししやすい。
【００３５】
本実施形態における糸切断吸引装置４０によると、カッタ４３の刃部５０を複数の糸条Ｙの配列方向に移動させることで、仮に複数の糸条Ｙを１箇所に寄せて屈曲させることもなく、１本ずつ確実に切断することができる。これにより、糸条Ｙの数によらず、全ての糸条Ｙを確実に切断することができる。このとき、刃部５０の先端を糸条Ｙの走行方向の上流側に傾けているため、より確実に走行する糸条Ｙを切断することできる。
【００３６】
また、吸引パイプ４５とカッタ４３が接続されて、一体的に配列方向に移動させているので、カッタ４３の刃部５０の移動に吸引パイプ４５の吸引口４５ａの移動を追従させることができ、刃部５０により切断された糸条Ｙを吸引することができる。このとき、複数の糸条Ｙには屈曲角は生じていないため吸引しやすい。また、吸引パイプ４５の吸引口４５ａは、カッタ４３の刃部５０よりも糸条Ｙの走行方向上流側に配置されているため、刃部５０により切断され、刃部５０よりも走行方向上流側にある糸条Ｙをより確実に吸引することができる。
【００３７】
また、このような糸切断吸引装置４０が紡糸機１とゴデットローラ４ａの間に配置されていることで、その後のゴデットローラ４ａ、４ｂや糸巻取装置５への糸掛けをしやすい。
【００３８】
また、糸規制ガイド３０の直上で、刃部５０を配列方向に沿って移動させて複数の糸条Ｙを切断しているため、刃部５０よりも走行方向下流側で走行する糸条Ｙの配列方向への移動が糸規制ガイド３０により規制される。これにより、糸条Ｙの刃部５０により切断される部分が刃部５０の移動する方向へ移動しにくく、より一層確実に糸条Ｙを切断することができる。
【００３９】
次に、上述した実施形態に種々の変更を加えた変更形態について説明する。ただし、上述した実施形態と同様の構成を有するものについては、同じ符号を付して適宜その説明を省略する。
【００４０】
本実施形態においては、吸引パイプ４５を複数の糸条Ｙの配列方向に移動させるシリンダ４６を有しており、吸引パイプ４５にカッタ４３を一体的に設けることで、カッタ４３を吸引パイプ４５とともに配列方向に移動させていたが、図６に示すように、カッタ４３を吸引パイプ４５に一体的に設けずに、独立して配列方向に移動可能に設けて、カッタ４３を配列方向に移動させるシリンダ１５０を新たに設けてもよい（変形例１）。このとき、吸引パイプ４５を移動させるシリンダ４６とカッタ４３を移動させるシリンダ１５０を同期させて同じタイミングで駆動して、吸引パイプ４５の吸引口４５ａとカッタ４３の刃部５０の位置関係を同じにしておくことで、複数の糸条Ｙを確実に１本ずつ切断して、吸引することができる。
【００４１】
また、本実施形態においては、吸引パイプ４５とカッタ４３を複数の糸条Ｙの配列方向に沿って移動させる機構（ここでは、シリンダ４６）が、複数の糸条Ｙの配列方向に沿った外側に配置されていたが、図７（ａ）、（ｂ）に示すように、吸引パイプ７２が複数の糸条Ｙの配列方向と直交する方向に延在してホルダ７１に取り付けられており、ホルダ７１の、吸引パイプ７２の吸引口７２ａが突出した先端面に、支持部材７４を介して、複数の糸条Ｙの配列方向に先端が向いたカッタ７３を設けてもよい（変形例２）。このとき、カッタ７３の先端は、吸引口７２ａよりも糸条Ｙに近い位置に配置されている。そして、吸引パイプ７２とホルダ７１を図示しない直動機構により複数の糸条Ｙの配列方向に沿って移動させると、複数の糸条Ｙを１本ずつ切断して吸引することができる。この場合、吸引パイプ７２が複数の糸条Ｙの配列方向と直交する方向に延在しているため、図２に示すレイアウトに比べて、糸切断吸引装置４０をコンパクト化することができる。
【００４２】
また、本実施形態においては、糸規制ガイド３０の直上で、刃部５０を配列方向に沿って移動させて複数の糸条Ｙを切断していたが、糸規制ガイド３０から離れた位置で複数の糸条Ｙを切断してもよい。この場合、例えば、ゴデットローラ４ａ、４ｂの上流側や下流側の近傍のように、複数の糸条Ｙの姿勢が安定して、配列方向に移動しにくい位置であることが好ましい。
【００４３】
また、本実施形態においては、吸引源４２とカッタ４３をシリンダ４６により配列方向に沿って移動させていたが、吸引源４２とカッタ４３を配列方向に沿って移動させるための図示しないガイドレールを設けて、シリンダ４６は設けずに、オペレータが吸引源４２とカッタ４３を配列方向に沿って移動させてもよい。
【００４４】
また、本実施形態においては、カッタ４３の刃部５０は、その先端が糸条Ｙの走行方向上流側に傾いていたが、この水平面に対する傾きは、糸条Ｙの走行速度によって任意に設定すればよい。また、糸条Ｙが切れやすい材料であれば、刃部５０の先端は走行方向上流側に傾けずに、水平方向を向いていてもよい。
【００４５】
また、本実施形態においては、糸切断吸引装置４０を紡糸機１とゴデットローラ４ａの間に配置していたが、この位置に限らず、任意の位置に配置してもよい。
【符号の説明】
【００４６】
１０  紡糸巻取機
４０  糸切断吸引装置
４１  吸引装置
４３  カッタ
４５  吸引パイプ
４５ａ  吸引口
４６  シリンダ
５０  刃部
Ｙ  糸条
【図１】
0005632774.tif 000002
【図２】
0005632774.tif 000003
【図３】
0005632774.tif 000004
【図４】
0005632774.tif 000005
【図５】
0005632774.tif 000006
【図６】
0005632774.tif 000007
【図７】
0005632774.tif 000008